(57)【特許請求の範囲】
【請求項１】
外科的処置を実行するためのシステムであって、
外科コンソールと、
前記外科コンソールのためのＧＵＩであって、前記ＧＵＩは第１の部分と第２の部分を有し、前記第１の部分は前記第２の部分とは異なる外科コンソールの機能に対応し、
前記第１の部分は、ユーザが、前記第１の部分の機能に対応して予めプログラムされた第１のオプションセットの内の１個又はそれ以上を選択することを許可するように設定され、前記第１のオプションセットのそれぞれは、前記第１の部分の機能に対応する１個又はそれ以上の対応するパラメータの設定に対応し、
前記第２の部分は、ユーザが、前記第２の部分の機能に対応して予めプログラムされた第２のオプションセットの内の１個又はそれ以上を選択することを許可するように設定され、前記第２のオプションセットのそれぞれは、前記第２の部分の機能に対応する２個又はそれ以上の対応するパラメータの設定に対応し、前記第２のオプションセットの内の１個又はそれ以上の選択によって、前記２個又はそれ以上のパラメータが相前後して調整される、前記ＧＵＩと、更に、
前記選択された第１と第２のオプションセットに従って前記外科コンソールを設定する手段と、を備える、システム。
【請求項２】
請求項１に記載のシステムであって、前記第１の部分と第２の部分のそれぞれは１個又はそれ以上のアイコンを有し、前記１個又はそれ以上のアイコンは、前記第１又は第２のオプションセットの１個をユーザが循環することを可能とするように設定されている、システム。
【請求項３】
請求項２に記載のシステムであって、前記１個又はそれ以上のアイコンは一対のアイコンである、システム。
【請求項４】
請求項３に記載のシステムであって、前記第１と第２の部分のそれぞれは外科システムディスプレイ部分を備え、前記ディスプレイ部分は、ユーザが、前記第１又は第２のオプションセットの全てから１個のオプションセットを選択することを可能とするように設定されている、システム。
【請求項５】
請求項１に記載のシステムであって、前記第１の部分は超音波検査部分である、システム。
【請求項６】
請求項１に記載のシステムであって、前記第１の部分は第１のアイコン対を備え、前記第１のアイコン対は第１の軸に沿って配置され、且つ、前記第１のオプションセットの１個を選択するためにユーザが前記第１のオプションセットを循環することを許可するように設定されており、それによって、前記外科コンソールが前記第１のオプションセットの１個に従って設定される、システム。
【請求項７】
請求項１に記載のシステムであって、前記第２の部分は流体工学部分である、システム。
【請求項８】
請求項６に記載のシステムであって、前記第２の部分は第２のアイコン対を備え、前記第２のアイコン対は前記第１の軸に沿って配置され、且つ、前記第２のオプションセットの１個を選択するためにユーザが前記第２のオプションセットを循環することを許可するように設定されており、それによって、前記外科コンソールが前記第２のオプションセットの１個に従って設定される、システム。
【請求項９】
コンピュータ命令セットを備えるコンピュータ可読媒体であって、前記コンピュータ命令は、
外科コンソールのためのＧＵＩを提供し、前記ＧＵＩは第１の部分と第２の部分を有し、前記第１の部分は前記第２の部分とは異なる外科コンソールの機能に対応し、
前記第１の部分は、ユーザが、前記第１の部分の機能に対応して予めプログラムされた第１のオプションセットの内の１個又はそれ以上を選択することを許可するように設定され、前記第１のオプションセットのそれぞれは、前記第１の部分の機能に対応する１個又はそれ以上の対応するパラメータの設定に対応し、
前記第２の部分は、ユーザが、前記第２の部分の機能に対応して予めプログラムされた第２のオプションセットの内の１個又はそれ以上を選択することを許可するように設定され、前記第２のオプションセットのそれぞれは、前記第２の部分の機能に対応する２個又はそれ以上の対応するパラメータの設定に対応し、前記第２のオプションセットの内の１個又はそれ以上の選択によって、前記２個又はそれ以上のパラメータが相前後して調整され、更に、
前記選択された前記第１と第２のオプションセットに従って前記外科コンソールを設定する、各ステップに翻訳可能である、コンピュータ可読媒体。
【請求項１０】
請求項９に記載のコンピュータ可読媒体であって、前記第１と第２の部分のそれぞれは１個又はそれ以上のアイコンを有し、前記１個又はそれ以上のアイコンは、前記第１又は第２のオプションセットの１個をユーザが循環することを可能とするように設定されている、コンピュータ可読媒体。
【請求項１１】
請求項１０に記載のコンピュータ可読媒体であって、前記１個又はそれ以上のアイコンは一対のアイコンである、コンピュータ可読媒体。
【請求項１２】
請求項１１に記載のコンピュータ可読媒体であって、前記第１と第２の部分のそれぞれは外科システムディスプレイ部分を備え、前記ディスプレイ部分は、ユーザが、前記第１又は第２のオプションセットの全てから１個のオプションセットを選択することを可能とするように設定されている、コンピュータ可読媒体。
【請求項１３】
請求項１２に記載のコンピュータ可読媒体であって、前記ディスプレイ部分は、ドロップダウンメニューを使用してユーザが前記１個のオプションセットを選択することを許可するように設定されている、コンピュータ可読媒体。
【請求項１４】
請求項９に記載のコンピュータ可読媒体であって、前記第１の部分は超音波検査部分である、コンピュータ可読媒体。
【請求項１５】
請求項９に記載のコンピュータ可読媒体であって、前記第１の部分は第１のアイコン対を備え、前記第１のアイコン対は第１の軸に沿って配置され、且つ、前記第１のオプションセット１個を選択するためにユーザが前記第１のオプションセットを循環することを許可するように設定されており、それによって、前記外科コンソールが前記第１のオプションセットの１個に従って設定される、コンピュータ可読媒体。
【請求項１６】
請求項９に記載のコンピュータ可読媒体であって、前記第２の部分は流体工学部分である、コンピュータ可読媒体。
【請求項１７】
請求項１５に記載のコンピュータ可読媒体であって、前記第２の部分は第２のアイコン対を備え、前記第２のアイコン対は前記第１の軸に沿って配置され、且つ、前記第２のオプションセットの１個を選択するためにユーザが前記第２のオプションセットを循環することを許可するように設定されており、それによって、前記外科コンソールが前記第２のオプションセットの１個に従って設定される、コンピュータ可読媒体。
【請求項１８】
請求項４に記載のシステムであって、前記ディスプレイ部分は、ドロップダウンメニューを使用して前記１個のオプションセットを選択することを許可する、システム。
【発明の詳細な説明】
【技術分野】
【０００１】
本発明は外科システムに関する。特に、本発明の実施形態は眼科用外科システムに関する。更に特定すると、本発明の実施形態は眼科用外科システムを構成するためのシステム及び方法に関する。
【背景技術】
【０００２】
人間の目は多くの病気に罹り、徐々に視力を低下させ完全な失明に至る。コンタクトレンズ及びメガネは幾つかの病気を補償するが、その他に対しては眼の手術が必要である。一般に、眼の手術は、例えば硝子体網膜手術のような後眼部治療と、例えば白内障手術のような前眼部治療とに分類される。ごく最近、後眼部及び前眼部の連結治療が開発されている。
【０００３】
眼の手術に使用される外科用機器は、前眼部治療又は後眼部治療或いはその両者に対して特化されている。このような外科用機器は、硝子体網膜及び白内障の顕微鏡下外科コンソールを備えている。このような外科コンソールは、外科的処置及び外科用機器に応じて種々の機能を提供することができる。例えば、外科コンソールは、手術部位の洗浄及び手術部位からの吸引流の管理を支援することによって、白内障手術（例えば、水晶体超音波乳化吸引手術）を促進させることができる。更に勿論、外科コンソールはその他の機能も提供することができる。
【０００４】
このように、硝子体網膜及び白内障の外科コンソールは、通常、例えば、硝子体切断、真空化等の多くの機能を有しており、更にそれに比例して特注生産の影響を大きく受けやすい。言い換えると、このような外科コンソールのそれぞれのパラメータは、所望の設定を達成するために個々に調整され得る。一見したところ、この多数の構成上の置換は有利なように思えるが、しかしながらこの能力は、多くの場合多くの問題を引起す。例えば、手術の実行途中で医師が多くのパラメータを調整する必要が生じ、貴重な時間が浪費される。更に、このようなパラメータの調整は（例えば、１個のパラメータの設定は少なくとも部分的に１個又はそれ以上の他のパラメータの設定に依存する）最高の成果を挙げるように、或いは損傷又は合併症の可能性を避けるように調整する必要がある。この要求は、医師が１個のみのパラメータに関心がある場合でも、複数のパラメータに相当する設定を検証し、計算し或いは調整する必要があることを意味する。このような調整は更に多くの時間を費やすばかりでなく、更に、外科コンソールの構成において、患者又は外科的処置を実施する医師に、損傷を与えうるミスを起こす機会を増加させることもある。
【発明の概要】
【発明が解決しようとする課題】
【０００５】
従って、外科コンソールを構成するための簡易なシステム又は方法の必要性が存在する。
【課題を解決するための手段】
【０００６】
簡易化されたインターフェースのためのシステム及び方法の実施形態を開示する。更に特定すると、調整が可能な機能の範囲を制限し或いは削減するように、外科コンソールとの対話モードの実施形態を提供する。特に、ある実施形態では、ユーザ対話に対して１個又はそれ以上のインターフェースを提供することができ、このインターフェースはユーザが予めプログラムされたオプションのセットからの選択を可能とするものである。この場合、インターフェース又は予めプログラムされたオプションのセットは、ユーザが外科コンソールと対話しているモードに対応し得る。これらの予めプログラムされたオプションのそれぞれは、１個又はそれ以上のパラメータの設定に対応し得る。ユーザが種々の予めプログラムされたオプションから選択することを許すことによって、過誤及び損傷の可能性が減少する。これは、予めプログラムされたオプションのそれぞれに対する設定によって、他のパラメータに対する設定と比較してこれらの予めプログラムされたオプションに対する設定が正しいことが保証され、更に同様に、あるパラメータに対する値がある範囲を超えて設定されないことが保証されるからである。更に、予めプログラムされた設定に従ってパラメータのセットが相前後して調整されるので、特定のオペレーションモードのためのインターフェースは、医師が個人的にそれぞれのパラメータを調整することを強制するインターフェースと比較して、飛躍的に単純化することができる。本発明の実施形態は次のような追加の効果を提供する。即ち、このインターフェースはより簡単でかつ直感的であるため、表示のナビゲーションが同様に単純化され（例えば、フットスイッチ等のような入力装置との対話要求がより少なくなる）、外科的治療が更に容易に行えるようになる。
【０００７】
本発明のある実施形態では、ユーザに対して対話型グラフィカルユーザインターフェース（“ＧＵＩ”）を提供するために、タッチスクリーンを用いることができる。特に、ユーザはオペレーションモードを選択するために対話型装置を使用することができる。選択したオペレーションモードに基づいて、ＧＵＩがインターフェースを提示し、ユーザにパラメータセットの現在の設定における値を提示することができる。このインターフェースは、ユーザが、例えばタッチスクリーン、フットペダル制御装置等を使用して、予めプログラムされたオプションのセットを簡単に繰り返すことを可能とし、更に、現在選択されている予めプログラムされたオプションに対応する表示されたパラメータの設定に対する変更を反映する。
【０００８】
本発明のこれら及びその他の特徴は以下の説明及び添付の図面と関連して考察することにより、より良く認識され且つ理解されるであろう。以下の記載は本発明の種々の実施形態及びそれらの多くの詳細情報を示しているが、これらは説明のためにのみであって限定のためではない。多くの置き換え、修正、追加又は再構成を本発明の範囲内で行うことができ、更に本発明は、このような全ての置き換え、修正、追加又は再構成を含む。
【０００９】
本発明のより完全な理解及びその効果は、添付の図面と関連して以下の記載を参照することによって得ることができる。以下の図面において、同様の参照符号は同様の構成を示す。
【図面の簡単な説明】
【００１０】
【図１】外科コンソールの一実施形態を示す図。
【図２】グラフィカルユーザインターフェース（ＧＵＩ）の一実施形態を示す図。
【図３】グラフィカルユーザインターフェース（ＧＵＩ）の一実施形態を示す図。
【図４】カラーパレットを示す図。
【図５】グラフィカルユーザインターフェース（ＧＵＩ）の一実施形態を示す図。
【発明を実施するための形態】
【００１１】
図面は本発明の好ましい実施形態を示しており、これらの図面において、同様の番号は種々の図面の同様且つ対応する部分を言及するために使用される。
【００１２】
本発明の種々の実施形態を詳細に述べる前に、本発明の実施形態を利用することができる外科コンソールについて説明する。図１は、眼科用外科コンソール１００の一実施形態を示す図である。外科コンソール１００は、タッチスクリーン１１５を有するスイベルモニタ１１０を含むことができる。スイベルモニタ１１０は、タッチスクリーン１１５を見ることを必要とする人間に対して、種々の方向に配置することができる。スイベルモニタ１１０は、回転し傾斜すると同様に、左右にスイングすることができる。タッチスクリーン１１５は、ユーザがコンソール１００と対話することを許可するＧＵＩを提供する。
【００１３】
外科コンソール１００は更に接続パネル１２０を含んでおり、このパネルは、種々のツールと消耗品を外科コンソール１００に接続するために使用される。接続パネル１２０は、例えば、凝固接続体、平衡塩類溶液レシーバ、種々のハンドピースのための接続体、及び流体管理システム（“ＦＭＳ”）又はカセットレシーバ１２５を含むことができる。外科コンソール１００は更に、例えばフットペダル制御装置（例えば、パネル１３０の後方に格納されている）及びその他の機構のような、種々のユーザフレンドリーな機構を含むことができる。
【００１４】
外科コンソール１００は例示のみに提供されており、本発明の実施形態は種々の外科システムによって実現することができる。本発明の種々の実施形態を使用することができる外科システムの実例は、例えば、Ｓｅｒｉｅｓ  ２０００（Ｒ）白内障外科システム、Ａｃｃｕｒｕｓ（Ｒ）４００ＶＳ外科システム、テキサス州フォートワースの株式会社Ａｌｃｏｎ研究所から入手可能なＩｎｆｉｎｉｔｉ（ＴＭ）Ｖｉｓｉｏｎ  Ｓｙｓｔｅｍ外科システムを含む。当業者には理解されるように、本発明の実施形態はタッチスクリーンを有するその他の適切な外科システムにおいて実施することが可能である。
【００１５】
オペレーションにおいて、グラフィカルユーザインターフェース（ＧＵＩ）は、ユーザが外科コンソール１００と対話可能なように、スクリーン１１５上に表示することができる。一実施形態では、外科システムのためのＧＵＩは、ユーザが外科コンソール１００とモーダルに対話することを可能とする。言い換えると、ＧＵＩは外科コンソール１００のユーザに、外科コンソール１００の全範囲の機能に対応するアイコン或いは釦のセットを提供し、ユーザは外科コンソール１００の特定の機能を使用するために、これらの機能アイコンから選択する。ユーザはその後、所望の機能のための全てのパラメータ及びサブモードを設定し、この機能を利用する。このように、外科的処置のステップに対して望ましい機能を選択し、且つ、このステップに対して全てのパラメータ又はサブモードを設定するために、ユーザは外科的処置の間に、各ステップに対して外科コンソール１００とマニュアルで対話しなければならない。図示するように、外科コンソール１００とのモーダル対話は、外科的処置を実現するために比較的多くの入力（例えば、フットペダル制御装置又はタッチスクリー１１５から）を必要とし、且つ、外科コンソール１００を有するＧＵＩ（又はその他の対話方法）は、ユーザに対して外科コンソール１００の全範囲の機能に相当する多くのオプションを提供するので、非常に雑然とし且つ煩雑である。
【００１６】
例えば、外科コンソール１００は、硝子体切断（Ｖｉｔ）、真空化（摘出）、粘性流体制御（ＶＦＣ）及び超音波レンズ除去（Ｆｒａｇｍａｔｏｍｅ）のための機能を含む。このような外科コンソール１００に対するモーダルベースの対話のためのＧＵＩの一実施形態を、図２に示す。ＧＵＩ３００はアイコン３０２を表示し、アイコン３０２のそれぞれは外科コンソール１００の一つの機能に対応していることに注目すべきである。従って、アイコン３０２によって表示されている機能を使用するために、外科コンソール１００のユーザは所望のアイコン３０２を選択することができる。その後、外科的処置を実施するために、各ステップに対して、このステップに対して求められる機能を表すアイコン３０２を選択し、更に、この機能に対する全てのパラメータ又はサブモードを設定することができる。外科コンソール１００の機能性が要求される外科的処置の連続する各ステップにおいて、ユーザは再び、アイコン２０２からそのステップに対応する要求された機能を選択し、且つ、全てのパラメータ又はサブモードを設定する必要がある。想像できるように、外部からの対話が所望の機能を選択し利用するために必要であるので、この方法は外科コンソールと対話するためには効率的な方法ではない。
【００１７】
従って、外科コンソールと対話しこれを設定するための簡易な方法が必要である。そのために、簡易化されたインターフェースのためのシステム及び方法に注目を向ける必要がある。更に詳細には、外科コンソールとの対話モードの実施形態は、これらの対話モードが調整すべき機能の範囲を限定し或いは削減するように提供され得る。特に、ある実施形態ではユーザ対話に対して１個又はそれ以上のインターフェースを提示することができる。このインターフェースは、ユーザが、予めプログラムされたオプションセットから選択することを許可し、このインターフェース又は予めプログラムされたオプションはユーザが外科コンソールと対話中のモードに対応する。これらの予めプログラムされたオプションのそれぞれは、１個又はそれ以上のパラメータの設定に対応する。予めプログラムされたオプションのそれぞれに対する設定は、それぞれのパラメータに対する設定がその他のパラメータに対する設定に比較して正しいことを保証し、更に同様に、あるパラメータに対する値がある範囲を超えて設定されないことを保証するので、ユーザが予めプログラムされたオプションから選択することを許可することによって、過誤及び損傷の可能性が減少する。更に、パラメータセットが予めプログラムされた設定に従って相前後して調整されるため、特定のオペレーションモードに対するインターフェースは、医師に個人的に各パラメータを強制的に調整させるインターフェースに比べて、飛躍的に単純化することができる。
【００１８】
更に特定すると、本発明の実施形態は、ユーザに対話型グラフィカルユーザインターフェース（“ＧＵＩ”）を提示するためにタッチスクリーン１１５を使用することができる。特に、ユーザはオペレーションモードを選択するために対話を使用することができる。選択されたオペレーションモードに基づいて、ＧＵＩは、ユーザに、パラメータセットの現在の設定値を提示することができる。このインターフェースは、ユーザが、例えば、タッチスクリーン１１５、フットペダル等を使用することによって、予めプログラムされたオプションのセットを容易に繰り返すことを可能とし、表示されたパラメータの設定に対する変更を反映する。この変更は、現在選択されている予めプログラムされたオプションに相当する。
【００１９】
簡易化されたＧＵＩのこのような種類の実施形態を、図３を参照してより詳細に記載する。図３は、ユーザに、予めプログラムされたオプションを繰り返す能力を提示するＧＵＩの一実施形態を示している。ＧＵＩ４００はモードメニュー４０２を備えており、このモードメニュー４０２は釦４６０のセットを備え、この釦によって、ＧＵＩ４００が利用されている外科コンソールに対してオペレーションモードを選択することができる。ＧＵＩ４００は更に部分４０４を備え、それぞれの部分はある機能とこの機能に関する１個又はそれ以上のパラメータに対応している。例えば、超音波（検査）部分４０４ａは外科コンソールの超音波設定の選択又は操作であり、流体部分４０４ｂは外科コンソールの流体設定の操作であっても良い。インターフェース４００の各部分４０４は更にディスプレイ部分４３０を有しており、このディスプレイ部分４３０はインターフェース４００のその部分の機能に対応する１個又はそれ以上のパラメータの現在の設定を表示する（例えば、ディスプレイ４３０ａは超音波機能に対応するパラメータの設定を表示し、ディスプレイ４０３ｂは流体機能に対応するパラメータの設定を表示する、等）。
【００２０】
インターフェース４００の各部分４０４は、更に１個又はそれ以上のアイコン４２０を有しており、このアイコンは操作すべき部分の機能に関連した１個又はそれ以上のパラメータに対応する設定を可能とする。一実施形態では、これらのアイコン４２０は対を為しており、予めプログラムされた各オプションが関連するパラメータのセットに対する設定に対応する場合、１個又はそれ以上の関連するパラメータのセットに対する予めプログラムされたオプションのセットをユーザが繰り返すことを可能とする。言い換えると、アイコン４２０の１個を押すことによって、“次”の予めプログラムされたオプション（及び、“次”の予めプログラムされたオプションに対する設定に従って形成された関連するパラメータのセット）が自動的に選択され、一方、その対の他方のアイコン４２０を押すことによって、“以前”に予めプログラムされたオプション（及び、“次”の予めプログラムされたオプションに対する設定に従って形成された関連するパラメータのセット）が自動的に選択される。一旦ユーザが、“最初”の又は“最後”の予めプログラムされたオプションに到達した場合、そのアイコンは“ラップ”することができる（例えば、“最初”の予めプログラムされたオプションに対する“以前”のオプションは“最後”の予めプログラムされたオプションであり、その逆もまた同様である）。更に、一実施形態では、ディスプレイ４３０を押すことによって予めプログラムされたオプションセット全体を備えるメニューをユーザに同時に提示し、ユーザがこれらの予めプログラムされたオプションの１個を選択することを許可することもできる。
【００２１】
このように、外科コンソールの使用期間中、ユーザはモードメニュー４０２から外科コンソールに対するオペレーションモードを選択することができる。ディスプレイの対応する部分を利用することによって、ユーザは、選択されたモードに関係する予めプログラムされたオプションの１個又はそれ以上のセットから選択することができる。予めプログラムされたオプションセットのそれぞれは、１個又はそれ以上の対応するアイコンを使用して繰り返す（循環する）ことができる（ここで対応するアイコンのそれぞれは異なる軸に沿って配置することができる）。この方法により、パラメータのセットを予めプログラムされた設定に従って相前後して調整することができ、過誤及び損傷の可能性を低減することができる。
【００２２】
上述の簡易化ＧＵＩの実施形態を説明するためには、特別な事例が役に立つであろう。ユーザがモードメニュー４０２の釦４６０ａを押すことによって象限モードを選択すると仮定する。このオペレーションモード（例えば、象限モード）では、超音波部分４０４ａは、ＧＵＩ４００の垂直軸に沿って配列され且つ予めプログラムされたオプションに対応する（例えば対応するパラメータのための設定）、対を成すアイコン４２０ａ及び４２０ｂを備えている。
【表１】
0005576278.tif 000002
【００２３】
この超音波セットの設定は、ここではＵ／Ｓ１、Ｕ／Ｓ２等と呼ぶ。現在のディスプレイは、現在のこれらのパラメータが予めプログラムされたオプション：“ＵＳ５０％，２０％Ｏｎ，ＯＺｉｌ９０％，８０％Ｏｎ”に従って形成されていることに気づくべきである。このように、アイコン４２０ａを押すことによって、“次”の予めプログラムされたオプション“ＵＳ４０％，１５％Ｏｎ，ＯＺｉｌ７０％，８５％Ｏｎ”を選択することができ、外科コンソールをこの予めプログラムされたオプションに従って設定することができ（更に、ディスプレイ４３０ａをこのパラメータに対する現在の設定を表示するように変更することができ）、その一方で、アイコン４２０ｂを押すことによって、“以前”の予めプログラムされたオプション“ＵＳ０％，０％Ｏｎ，ＯＺｉｌ１００％，１００％Ｏｎ”を選択し、外科コンソールをこの予めプログラムされたオプションに従って設定することができる（更に、ディスプレイ４３０ａをこのパラメータに対する現在の設定を表示するように変更することができる）。一実施形態では、ディスプレイ４３０ａと対話する（例えば、押す）ことによって、これらの予めプログラムされたオプションセット全体をユーザに表示することができ（例えば、ドロップダウンメニュー等において）、ユーザが１個のオプションを選択することを可能とし、それによってユーザがアイコン４２０を使用して予めプログラムされたオプションのそれぞれをマニュアルで循環させる必要性を軽減する。
【００２４】
同様に、対をなすアイコン４２０ｃと４２０ｄがＧＵＩ４００の水平軸に沿って配置され、且つ予めプログラムされたオプションセットに対応している。この、予めプログラムされたオプションのそれぞれは全体で同じデューティサイクルに対応するが、しかしＵ／Ｓ時間Ｏｎ及びＯＺｉｌ時間Ｏｎにおいて５％の相違がある。従って、アイコン４２０ｃを押すことによって、“次”にプログラムされたオプションが選択され（このオプションは全体で同じデューティサイクルを維持するが、しかしＵ／Ｓ時間Ｏｎを５％減少し、ＯＺｉｌ時間Ｏｎを５％増加させる）、且つ外科コンソールをこれに従って設定させる一方で、もう一方の対のアイコン４２０ｄを押すことによって、“以前”に予めプログラムされたオプションが選択され（このオプションは全体で同じデューティサイクルを維持するが、しかしＵ／Ｓ時間Ｏｎを５％増加させ、ＯＺｉｌ時間Ｏｎを５％減少させる）、且つ外科コンソールをこれに従って設定する。
【００２５】
さらに、オペレーションの象限モードにおいて、液体部分４０４ｂはＧＵＩ４００の垂直軸に沿って配置され、予めプログラムされたオプションに対応する（例えば、対応するパラメータに対する設定）、一対のアイコン４２０ｅと４２０ｆを備えている。
【表２】
0005576278.tif 000003
【００２６】
液体セットの設定は此処ではＦ１、Ｆ２等と称している。現在のディスプレイは、現在のこれらのパラメータが予めプログラムされたオプション：“Ｆｌｏｗ３５／４４ｃｃ／ｍｉｎ，Ｖａｃｕｕｍ４００ｍｍＨｇ”にしたがって設定されていることを表示していることに注目すべきである。従って、アイコン４２０ｅを押すことによって、“次”の予めプログラムされたオプション、Ｆｌｏｗ３１／４０ｃｃ／ｍｉｎ，Ｖａｃｕｕｍ３００ｍｍＨｇ、が選択され、外科コンソールをこの予めプログラムされたオプションに従って設定することができる（更に、ディスプレイ４３０ｂがパラメータに対する現在の設定を表示するように変更する）一方で、アイコン４２０ｆを押すことによって、“以前”に予めプログラムされたオプションである、Ｆｌｏｗ４０／５５ｃｃ／ｍｉｎ，Ｖａｃｕｕｍ５００ｍｍＨｇを選択し、外科コンソールをこの予めプログラムされたオプションに従って設定する（更に、ディスプレイ４３０ａがパラメータに対する現在の設定を表示するように変更する）。一実施形態において、ディスプレイ４３０ｂを押すことによって、これらの予めプログラムされたオプションセット全体がユーザに対して表示されるようにし、且つユーザがオプションの一つを選択することを可能とし、それによってユーザがアイコン４２０を使用して予めプログラムされたオプションの個々をマニュアルで循環させる必要性を軽減する。
【００２７】
別の方法として、一実施形態では、パラメータセットに対してメニューをドロップダウンする代わりに、ユーザに２次元インターフェースを提示することができる。パラメータの種々の組合せに対応するセルをカラーコード化し、温度における予測された増加を反映させることができる。この温度における予測された増加は超音波の量にほぼ比例し、フロー速度（流速）に逆比例する。従って、図４の事例に示す様に、低いフロー速度に対応するより高い超音波値を、“より熱い”色でカラーコード化し、低い超音波値と高いフロー速度を“より冷たい”色でカラーコード化することができる。
【００２８】
図５は、このようなインターフェースの一実施形態を示している。制御フィールド４００を、ユーザが瞬間平均出力４３０と瞬間フロー速度４４０を制御することを可能とするために提示することができる。フィールド４００において更に特定すると、青−赤の勾配は、ある（ユーザによって又はその他によって特定された）期間の後の切断温度増加の概算である。青は温度増加が低いことを示し、赤は温度増加が大きいことを示している。ユーザは、要求された設定アイコン４１０をドラッグすることによりそのフィールドを制御することができ、そして、見た目が同じ流れ設定アイコン４２０を介してリアルタイムフィードバックが与えられる。このアイコン４２０はまた、瞬時の切断温度を示す（例えば、フットスイッチ貫通に基づいて）。従って、タッチスクリーンインターフェース１１５を介して外科コンソール１００（例えば、瞬時の切断温度）のユーザにフィードバックが提供される。
【００２９】
異なる外科ステップに対して、一例としての予めプログラムされたオプションを提供することは、このように簡易化されたインターフェースの特定の実施形態の理解を支援するであろう。これらの予めプログラムされたオプション及び外科ステップは例示的でのみあること、より少ない追加の或いはその他の多種多様の予めプログラムされたオプションが、リストされたモード又はオペレーションのそれぞれに関連して実現することができること、更に、他のオペレーションモード及び予めプログラムされたオプションセットが考えられること、に注目しなければならない。例えば、次の通りである。
【００３０】
外科モード：彫刻
超音波検査
一実施形態において、この予めプログラムされたオプションセットに対して、２０ｐｐｓ、全体で１００％のデューティサイクル−オフ時間なし、のパルスモードが存在し得る。
ＵＳ３０％，１０％Ｏｎ、ＯＺｉｌ５０％，９０％Ｏｎ
ＵＳ４０％，１５％Ｏｎ，ＯＺｉｌ７０％，８５％Ｏｎ
ＵＳ５０％，２０％Ｏｎ，ＯＺｉｌ９０％，８０％Ｏｎ
ＵＳ０％，０％Ｏｎ，  ＯＺｉｌ１００％，１００％Ｏｎ
ＵＳ６０％，２０％Ｏｎ，ＯＺｉｌ１００％，８０％Ｏｎ
【００３１】
流体工学
一実施形態において、この予めプログラムされたオプションセットに対して、ダイナミック上昇は０である。
Ｆｌｏｗ１７ｃｃ／ｍｉｎ，Ｖａｃｕｕｍ５０ｍｍＨｇ
Ｆｌｏｗ１９ｃｃ／ｍｉｎ，Ｖａｃｕｕｍ７０ｍｍＨｇ
Ｆｌｏｗ２１ｃｃ／ｍｉｎ，Ｖａｃｕｕｍ９０ｍｍＨｇ
Ｆｌｏｗ２３ｃｃ／ｍｉｎ，Ｖａｃｕｕｍ１２０ｍｍＨｇ
Ｆｌｏｗ２５ｃｃ／ｍｉｎ，Ｖａｃｕｕｍ２５０ｍｍＨｇ
【００３２】
外科モード：象限除去又は切断（Ｃｈｏｐ）
超音波検査
一実施形態では、この予めプログラムされたオプションセットに対して、８ｐｐｓ、全体で１００％デューティサイクル、オフ時間なしのパルスモードのみであり得る。
ＵＳ３０％，１０％Ｏｎ、ＯＺｉｌ５０％，９０％Ｏｎ
ＵＳ４０％，１５％Ｏｎ、ＯＺｉｌ７０％，８５％Ｏｎ
ＵＳ５０％，２０％Ｏｎ、ＯＺｉｌ９０％，８０％Ｏｎ
ＵＳ０％，０％Ｏｎ、ＯＺｉｌ１００％，１００％Ｏｎ
ＵＳ６０％，２０％Ｏｎ、ＯＺｉｌ１００％，８０％Ｏｎ
【００３３】
流体工学
一実施形態では、この予めプログラムされたオプションセットに対して、フロー及び真空（Ｖａｃｕｕｍ）が固定されている。
Ｆｌｏｗ２３／２３ｃｃ／ｍｉｎ，Ｖａｃｕｕｍ２００ｍｍＨｇ
Ｆｌｏｗ２７／３５ｃｃ／ｍｉｎ，Ｖａｃｕｕｍ２５０ｍｍＨｇ
Ｆｌｏｗ３１／４０ｃｃ／ｍｉｎ，Ｖａｃｕｕｍ３００ｍｍＨｇ
Ｆｌｏｗ３５／４４ｃｃ／ｍｉｎ，Ｖａｃｕｕｍ４００ｍｍＨｇ
Ｆｌｏｗ４０／５５ｃｃ／ｍｉｎ，Ｖａｃｕｕｍ５００ｍｍＨｇ
Ｆｌｏｗ４５／７０ｃｃ／ｍｉｎ，Ｖａｃｕｕｍ６００ｍｍＨｇ
Ｆｌｏｗ５０／９０ｃｃ／ｍｉｎ，Ｖａｃｕｕｍ７００ｍｍＨｇ
Ｆｌｏｗ６０／１００ｃｃ／ｍｉｎ，Ｖａｃｕｕｍ限定されない
【００３４】
外科モード：エピ核（Ｅｐｉｎｕｃｌｅｕｓ）
超音波検査
一実施形態では、この予めプログラムされたオプションセットに対して、このオプションのみが継続され、Ｕ／Ｓが無く、ＯＺｉｌのみである。
ＯＺｉｌ２０％
ＯＺｉｌ４０％
ＯＺｉｌ６０％
【００３５】
外科モード：流体工学
一実施形態では、この予めプログラムされたオプションセットに対して、フローは常に固定され、真空（ｖａｃｕｕｍ）は常に線形であり、動的上昇は常に０であり得る（例えば、閉塞上でのポンプ速度において変化なし）。
Ｆｌｏｗ２３ｃｃ／ｍｉｎ，Ｖａｃｕｕｍ１５０ｍｍＨｇ
Ｆｌｏｗ２７ｃｃ／ｍｉｎ，Ｖａｃｕｕｍ２００ｍｍＨｇ
Ｆｌｏｗ３１ｃｃ／ｍｉｎ，Ｖａｃｕｕｍ２５０ｍｍＨｇ
Ｆｌｏｗ３５ｃｃ／ｍｉｎ，Ｖａｃｕｕｍ３００ｍｍＨｇ
Ｆｌｏｗ４０ｃｃ／ｍｉｎ，Ｖａｃｕｕｍ４００ｍｍＨｇ
Ｆｌｏｗ４５ｃｃ／ｍｉｎ，Ｖａｃｕｕｍ５００ｍｍＨｇ
【００３６】
本発明を図示の実施形態を参照して詳細に説明したが、その説明は例示的なものであって限定された意味で解釈すべきではないことを理解すべきである。したがって、この発明の実施形態の詳細部分における多くの変更とこの発明の追加の実施形態は明白であり、且つ、この記載を参照することによって当業者がなし得るものであることを更に理解すべきである。このような全ての変更及び追加の実施形態は、以下に請求する本発明の請求の範囲内であると考えられる。
【図１】
0005576278.tif 000004
【図２】
0005576278.tif 000005
【図３】
0005576278.tif 000006
【図４】
0005576278.tif 000007
【図５】
0005576278.tif 000008